(57)【要約】【課題】水位と水温の警報装置及び警報デバイスの提供。【解決手段】水位と水温の警報装置は、水温センサ、水位検知器、警示ユニット及び演算ユニットを備え、前記演算ユニットは、水温センサ、水位検知器及び警示ユニットに接続される。水位検知器は、第１の電極点及び第２の電極点に接続されるとともに、第１の電極点及び第２の電極点にショートが発生した場合、トリガー信号を演算ユニットに出力する。演算ユニットは、トリガー信号によってトリガーされた後、水温センサから水温信号を受信するとともに、水温信号の温度に該当する温度目盛に基づいて警示ユニットを異なる光色を発するように駆動させる。前記警報装置は、さらに、水温と電量の信号を遠隔のメインフレーム、又は通信装置に送信することができる。【選択図】図１
0003169612.tif 000002
【実用新案登録請求の範囲】
【請求項１】
第１の電極点に接続され、水温信号を出力するための水温センサと、
前記第１の電極点と第２の電極点に接続され、前記第１の電極点と前記第２の電極点にショートが発生した場合に、トリガー信号を出力するための水位検知器と、
警示ユニットと、
前記水温センサと前記水位検知器と前記警示ユニットとに接続され、前記トリガー信号のトリガーによって起動されるとともに、起動後に前記水温信号を受信し、前記水温信号の温度に該当する温度目盛に基づいて前記警示ユニットを異なる光色を発するように駆動させる演算ユニットと、
を備えることを特徴とする水位と水温の警報装置。
【請求項２】
前記演算ユニットは、電量検知回路にさらに接続され、前記電量検知回路から電量信号を受信することを特徴とする請求項１に記載の水位と水温の警報装置。
【請求項３】
前記警示ユニットは、ＬＥＤモジュールであることを特徴とする請求項１または２に記載の水位と水温の警報装置。
【請求項４】
前記演算ユニットは、予め設定された温度目盛と前記温度目盛に対応する発光色とを調整するための調整ユニットにさらに接続されることを特徴とする請求項１ないし３のいずれかに記載の水位と水温の警報装置。
【請求項５】
前記水温センサと、前記水位検知器と、前記警示ユニットと、前記演算ユニットと、を密封するためのハウジングをさらに含むことを特徴とする請求項１ないし４のいずれかに記載の水位と水温の警報装置。
【請求項６】
前記ハウジングは、固定座に接続されることを特徴とする請求項５に記載の水位と水温の警報装置。
【請求項７】
前記固定座は、吸盤であることを特徴とする請求項６に記載の水位と水温の警報装置。
【請求項８】
通信装置に無線接続された水位と水温の警報装置であって、
第１の電極点に接続され、水温信号を出力するための水温センサと、
前記第１の電極点と第２の電極点に接続され、前記第１の電極点と前記第２の電極点にショートが発生した場合にトリガー信号を出力するための水位検知器と、
警示ユニットと、
前記水温信号を無線発射するための無線発射モジュールと、
前記水温センサと、前記水位検知器と、前記警示ユニットと、前記無線発射モジュールと、に接続され、前記トリガー信号のトリガーによって起動されるとともに、起動後に前記水温信号を受信し、前記水温信号の温度に該当する温度目盛に基づいて前記警示ユニットを異なる光色を発するように駆動させるとともに、前記無線発射モジュールを介して前記水温信号を無線送信により前記通信装置に送信するための演算ユニットと、
を備えることを特徴とする通信装置に無線接続された水位と水温の警報装置。
【請求項９】
前記演算ユニットは、チャネル選択キーにさらに接続され、前記チャネル選択キーからチャネル選択信号を受信するとともに、前記チャネル選択信号に基づいて前記無線発射モジュールのラジオ送信チャネルを設定することを特徴とする請求項８に記載の水位と水温の警報装置。
【請求項１０】
前記演算ユニットは、電量検知回路にさらに接続され、前記電量検知回路から電量信号を受信することを特徴とする請求項８または９に記載の水位と水温の警報装置。
【請求項１１】
前記演算ユニットは、前記演算ユニットに予め設定された温度目盛と、前記温度目盛に対応する発光色と、を調整するための調整ユニットにさらに接続されることを特徴とする請求項８ないし１０のいずれかに記載の水位と水温の警報装置。
【請求項１２】
前記演算ユニットは、機能テストキーにさらに接続され、前記機能テストキーからテスト信号を受信し、前記テスト信号に基づいて前記電量検知回路から前記電量信号を受信するとともに、前記電量信号に基づいて通信が正常であると判断した場合、前記無線発射モジュールを介して前記判断の確認信号と前記電量信号とを前記通信装置に無線送信することを特徴とする請求項１０または１１に記載の水位と水温の警報装置。
【請求項１３】
水位と水温を警報によって通知する警報装置と、該警報装置が着脱可能に結合されるメインフレームとを備える水位と水温の警報デバイスであって、
前記警報装置は、
第１の電極点に接続され、水温信号を出力するための水温センサと、
前記第１の電極点と第２の電極点とに接続され、前記第１の電極点と前記第２の電極点にショートが発生した場合にトリガー信号を出力するための水位検知器と、
警示ユニットと、
前記水温信号を無線発射するための無線発射モジュールと、
前記水温センサと前記水位検知器と前記警示ユニットと前記無線発射モジュールとに接続され、前記トリガー信号のトリガーによって起動されるとともに、起動後に前記水温信号を受信し、前記水温信号の温度に該当する温度目盛に基づいて前記警示ユニットを異なる光色を発するように駆動させるとともに、前記無線発射モジュールを介して前記水温信号を無線出力するための演算ユニットと、を含みと、
前記メインフレームは、
前記無線発射モジュールから前記水温信号を受信するための無線受信モジュールと、
警報ユニットと、
前記無線受信モジュールと、前記警報ユニットに接続され、前記無線受信モジュールから前記水温信号を受信するとともに、前記水温信号の前記温度に該当する前記温度目盛に基づいて前記警報ユニットを異なる音声光のメッセージを発するように駆動させるためのメインフレーム演算器と、を含むことを特徴とする水位と水温の警報デバイス。
【請求項１４】
前記警報ユニットは、ＬＥＤモジュールと音楽スピーカを含み、前記メインフレーム演算器は、前記水温信号の前記温度に該当する前記温度目盛に基づいて前記ＬＥＤモジュールを異なる光色を発するように駆動させるとともに、前記音楽スピーカを異なる音楽、音声を発するように駆動させることを特徴とする請求項１３に記載の水位と水温の警報デバイス。
【請求項１５】
前記メインフレーム演算器は、表示器にさらに接続され、前記水温信号に基づいて前記表示器に水温数値を表示させることを特徴とする請求項１３または１４に記載の水位と水温の警報デバイス。
【請求項１６】
前記メインフレーム演算器は、ＬＥＤライトにさらに接続されることを特徴とする請求項１３または１４に記載の水位と水温の警報デバイス。
【請求項１７】
前記メインフレーム演算器は、ブザーにさらに接続されることを特徴とする請求項１３ないし１６のいずれかに記載の水位と水温の警報デバイス。
【請求項１８】
前記メインフレーム演算器は、モード切り換えキーにさらに接続され、前記モード切り換えキーからモード選択信号を受信するとともに、前記モード選択信号に基づいてクロックモードの第１のモード又は水温検知モードの第２のモードにおいて作動することを特徴とする請求項１４に記載の水位と水温の警報デバイス。
【請求項１９】
前記メインフレーム演算器は、交流電流を直流電流に変換するとともに前記直流電流を前記メインフレーム演算器に送信する交流・直流電気エネルギー変換器にさらに接続されることを特徴とする請求項１８に記載の水位と水温の警報デバイス。
【考案の詳細な説明】
【技術分野】
【０００１】
本考案は、水位と水温の警報装置及び警報デバイスに関し、特に水位と水温を検知するとともに、警報による通知を提供する水位と水温の警報装置及び警報デバイスに関するものである。
【背景技術】
【０００２】
従来、浴槽に貯水する場合は、貯水時に別のことを行うのが一般的である。これにより、貯水超過が度々発生する。また、浴槽の貯水量を確認するために浴室に出入りする必要があるため、時間の無駄になる。更に、貯水が所要の貯水量に達した後、自ら水温を検査する必要があり、その際に火傷等の事故が容易に発生する危険性がある。
【０００３】
その外、老人や子供との生活において、老人や子供が単独で入浴した場合に、浴室外にいる家族は浴槽中の水温が正常であるかどうか把握できないため、水温が高過ぎる場合においても、熱湯の供給をすぐに停止させることができず、老人や子供に火傷を負わせてしまう危険性がある。
【考案の概要】
【考案が解決しようとする課題】
【０００４】
本考案に係る水位と水温の警報装置及び警報デバイスは、浴槽中の水位と水温を検知し、水位が所定の位置に達した場合に、水温のデータを無線送信により遠隔のメインフレームに送信するとともに、音声、ライト及び数字による温度表示を用いてユーザに通知することを目的とする。
【課題を解決するための手段】
【０００５】
本考案に係る水位と水温の警報装置は、水温センサ、水位検知器、警示ユニット及び演算ユニットを備える。演算ユニットは、水温センサ、水位検知器及び警示ユニットに接続され、前記水位検知器は、第１の電極点及び第２の電極点に接続されるとともに、第１の電極点及び第２の電極点にショートが発生した場合に、トリガー信号を演算ユニットに出力する。演算ユニットは、前記トリガー信号のトリガーによって起動され、起動後、前記水温センサから水温信号を受信するとともに、前記水温信号の温度に該当する温度目盛に基づいて前記警示ユニットが異なる光色を発するように駆動させる。
【０００６】
また、本考案に係る水位と水温の警報装置は、水温センサ、水位検知器、警示ユニット、及び無線発射モジュールに接続される演算ユニットを備え、前記水位検知器は、第１の電極点及び第２の電極点に接続されるとともに、第１の電極点及び第２の電極点にショートが発生した場合に、トリガー信号を演算ユニットに出力する。演算ユニットは、前記トリガー信号のトリガーによって起動され、起動後に前記水温センサから水温信号を受信するとともに、前記水温信号の温度に該当する温度目盛に基づいて前記警示ユニットが異なる光色を発するように駆動させ、無線発射モジュールを介して前記水温信号を通信装置に無線送信する。
【０００７】
また、本考案に係る水位と水温の警報デバイスは、警報装置、及びメインフレームを備える。警報装置は、水温センサ、水位検知器、警示ユニット、及び無線発射モジュールに接続される演算ユニットを備え、前記水位検知器は、第１の電極点及び第２の電極点に接続されるとともに、第１の電極点及び第２の電極点にショートが発生した場合に、トリガー信号を演算ユニットに出力する。演算ユニットは、前記トリガー信号のトリガーによって起動され、起動後に前記水温センサから水温信号を受信するとともに、前記水温信号の温度に該当する温度目盛に基づいて前記警示ユニットが異なる光色を発するように駆動させ、無線発射モジュールを介して前記水温信号を無線出力する。
【０００８】
また、メインフレームは、無線受信モジュール、警報ユニット、及びメインフレーム演算器を備え、前記メインフレーム演算器は、無線受信モジュール及び警報ユニットに接続され、前記無線受信モジュールを介して水温信号を受信するとともに、水温信号の温度に該当する温度目盛に基づいて警報ユニットが異なる音声光のメッセージを発するように駆動させる。
【考案の効果】
【０００９】
上述のように、本考案に係る水位と水温の警報装置は、警示ユニットが異なる光を発することで、ユーザに浴槽の水位及び水温に対する注意を促し、入浴時の安全性を確保するとともに、水資源の浪費を防止することができる。また、浴槽中の水温をリアルタイムで遠隔に無線送信することができるため、遠隔地にあるメインフレーム、又は通信装置によって浴槽中の水温を監視することができ、老人や子供の安全を図ることが可能となる。
【００１０】
以下、本考案の特徴及び技術内容がより理解できるように、実施例及び図面に基づいてさらに詳細に説明する。なお、これらの実施例、及び図面は、本考案を説明するためのものであり、本考案の権利範囲を局限するものではない。
【図面の簡単な説明】
【００１１】
【図１】本考案の実施例に係る警報装置回路のブロック模式図である。
【図２】本考案の実施例に係る警報装置の外観模式図である。
【図３】本考案の実施例に係る警報装置の使用環境模式図である。
【図４】本考案の他の実施例に係る警報装置回路のブロック模式図である。
【図５】本考案の他の実施例に係る警報装置の使用環境模式図である。
【図６】本考案の実施例に係るメインフレーム回路のブロック模式図である。
【図７】本考案の実施例に係る警報デバイス模式図である。
【図８】本考案の他の実施例に係るメインフレーム回路のブロック模式図である。
【図９】本考案の他の実施例に係る警報デバイス模式図である。
【図１０】本考案の他の実施例に係る警報装置の作動フローの模式図である。
【考案を実施するための形態】
【００１２】
本考案に係る水位と水温の警報装置は、主に浴槽中の水位と水温を検知するとともに、所定水位に到達した場合に、その時点の水温が入る温度目盛に基づいて、異なる警報ライト信号を発するように駆動し、水温に対する注意を促す警報作用を提供することができる。
【００１３】
また、本考案に係る水位と水温の警報装置は、さらに水温信号を遠隔にあるメインフレーム又は通信装置に無線送信することができる。遠隔にあるメインフレーム又は通信装置は、水温に該当する温度目盛に基づいて異なる警報ライト信号及び音声を発することができるともに、水温数値を表示することができる。
【００１４】
図１は、本考案実施例の警報装置回路のブロック模式図である。図１を参照して、警報装置１は、水温センサ１２と、水位検知器１４と、警示ユニット１８と、演算ユニット１６と、を備え、前記演算ユニット１６は、水温センサ１２、水位検知器１４及び警示ユニット１８に接続される。
【００１５】
水位検知器１４は、第１の電極点Ｐ１及び第２の電極点Ｐ２に接続されるとともに、第１の電極点Ｐ１及び第２の電極点Ｐ２にショートが発生した場合にトリガー信号Ｓ１を演算ユニット１６に出力する。演算ユニット１６は、トリガー信号Ｓ１のトリガーによって起動されるとともに、起動後に水温センサ１２から水温信号Ｓ２を受信し、水温信号Ｓ２の温度に該当する温度目盛に基づいて警示ユニット１８が異なる光色を発するように駆動する。演算ユニット１６は、集積回路（ＩＣ）、マイクロ制御器（ＭＣＵ）又はシングルチップであってもよく、その機能はハード回路の構造及び／又はソフトウェアプログラムにより実現できる。
【００１６】
演算ユニット１６は、警報装置１における電池（図示せず）電量を検知するための電量検知回路１９にさらに接続され、前記電量検知回路１９によって検知された電量信号Ｓ３を受信する。この電池電力は、主に警報装置１における全ての電力素子の必要電力として供給される。また、演算ユニット１６は、電池が低電量であると判定（電量信号Ｓ３が所定値よりも低い）した場合、ユーザに電池交換に対する注意を促すために、警示ユニット１８が点滅する緑光を発するように警示ユニット１８を駆動させる。
【００１７】
浴槽に設けられた警報装置１が水位と水温の警報を行う際、第１の電極点Ｐ１及び第２の電極点Ｐ２は、予め設定された水位に位置する。つまり、浴槽中の水位が所定位置に到達した場合、浴槽中の水によって、第１の電極点Ｐ１と第２の電極点Ｐ２にショートが発生する。このとき、水位検知器１４は、このショート情報に基づいてトリガー信号Ｓ１を演算ユニット１６に送信する。
【００１８】
具体的に説明すると、水位検知器１４は、第１の電極点Ｐ１と第２の電極点Ｐ２との間のインピーダンス変化に基づいて第１の電極点Ｐ１と第２の電極点Ｐ２にショートが発生しているかどうかを判定する。ショートが発生した場合、第１の電極点Ｐ１と第２の電極点Ｐ２との間は低インピーダンスとなり、ショートが発生していない場合は高インピーダンスである。また、第１の電極点Ｐ１と第２の電極点Ｐ２のいずれか一方は、水温センサ１２の水温検知極点とすることができる。図１に示すように、本考案の実施例では、第１の電極点Ｐ１を水温センサ１２の水温検知極点とする。
【００１９】
演算ユニット１６は、トリガー信号Ｓ１を受信した直後にトリガー信号Ｓ１によってイネーブル（ｅｎａｂｌｅ）され、スリープモード（ｓｌｅｅｐ  ｍｏｄｅ）から呼び起こされ（ｗａｋｅ  ｕｐ）、さらに起動して作動モード（ｏｐｅｒａｔｉｏｎ  ｍｏｄｅ）に入る。この時、演算ユニット１６は、水温センサ１２から水温信号Ｓ２を受信するとともに、水温信号Ｓ２の温度に該当する温度目盛を判定するための判定工程を行う。なお、水温センサ１２は、アナログ・デジタル信号変換器であり、アナログの水温信号を演算ユニット１６が読み取り、演算可能なデジタルの水温信号に変換する。
【００２０】
本考案の実施例において、演算ユニット１６が行う判定工程を説明すると、予め３つの温度目盛を設定しておき、その温度は、それぞれ第１の温度目盛を３０℃以下に、第２の温度目盛を３０℃〜４２℃に、第３の温度目盛を４２℃以上に設定する。しかしながら、本考案の実施例の判定工程における予め設定された３つの温度目盛は、本考案を何ら制限するものではなく、必要に応じてプログラムによる判定工程を導入してもよい。
【００２１】
具体的に説明すると、演算ユニット１６が水温信号Ｓ２を３０℃以下であると判定した場合、水温が低すぎることを表すために、警示ユニット１８を明るい青光を発するように駆動させる。水温信号Ｓ２が３０℃〜４２℃の範囲であると判定した場合、水温が適当であることを表すために、警示ユニット１８を明るいオレンジ光を発するように駆動させる。また、水温信号Ｓ２が４２℃以上であると判定した場合、水温が高過ぎることを表すために、警示ユニット１８を赤光を発するように駆動させる。ここで、警示ユニット１８は、演算ユニット１６の出力に応じて異なる色の光を発するものであればよく、ＬＥＤモジュールや、ＲＧＢの三色のＬＥＤモジュールであってよい。
【００２２】
演算ユニット１６は、さらにユーザの操作に基づいて、演算ユニット１６において予め設定された温度目盛及び前記温度目盛に対応する発光色を調整するための調整ユニット１５に接続される。言い換えれば、ユーザは、必要に応じて調整ユニット１５を介して必要とする温度目盛及び該温度目盛に対応する発光色を調整することができる。
【００２３】
図２は、本考案の実施例の警報装置の外観模式図である。図２と図１を合わせて参照して、警報装置１は、ハウジング１０を備え、該ハウジング１０の内部には上述した警報装置１の各素子が密封され、該ハウジング１０によりその内部に水が進入することを防止する効果を発揮する。図２に示すように、警報装置１の第１の電極点Ｐ１及び第２の電極点Ｐ２は、ハウジング１０の外部に露出し、水位を検出する。また、第１の電極点Ｐ１は、さらに水温センサ１２の水温検知極点として水温を検知する。
【００２４】
図２と図３を合わせて参照して、ハウジング１０は、一方の面が視認部であり、他方の面が固定部である。視認部は、ユーザが水温によって決定される色の光を視認するためのものであり、固定部は、固定座５に接続される。このように、警報装置１は、固定座５を介して浴槽３の内縁に設けられることが可能である。また、図３に示すように、いつでも浴槽３中の水位を検知することができるとともに、所定の水位に到達した後も、発光された色によりユーザに浴槽３中の水温状態に対する注意を促すことができる。なお、固定座５は、吸盤であってもよい。
【００２５】
図４は、本考案の他の実施例に係る警報装置回路のブロック模式図である。図４と図１を合わせて参照して、図１の警報装置１と比較すると、図４の警報装置１’は、演算ユニット１６に接続された無線発射モジュール１７をさらに備える。演算ユニット１６は、図５に示すように、トリガー信号Ｓ１によってトリガーされ起動された後、水温センサ１２から水温信号Ｓ２を受信するとともに、無線発射モジュール１７を介して水温信号Ｓ２を遠隔の通信装置４に無線送信する。また、演算ユニット１６は、トリガー信号Ｓ１のトリガーによってトリガーされ起動した後、無線発射モジュール１７を介して電量信号Ｓ３を遠隔の通信装置４に無線送信する。
【００２６】
上述した通信装置４は、通信受信機能を有する装置であればよく、例えばノードブックパソコン、携帯電話、テレビ、パーソナルデジタルアシスタント（ＰＤＡ）等、でよい。また、警報装置１における無線発射モジュール１７と通信装置４との間は、Ｗｉ−Ｆｉ、ブルートゥース（ｂｌｕｅｔｏｏｔｈ）又は超広帯域（Ｕｌｔｒａ−ｗｉｄｅｂａｎｄ；ＵＷＢ）等の無線通信技術を用いてデータの送信を行うことができる。
【００２７】
図４を参照して、警報装置１’は、演算ユニット１６に接続されたチャネル選択キー１１をさらに備える。演算ユニット１６は、チャネル選択キー１１からチャネル選択信号Ｓ４を受信するとともに、チャネル選択信号Ｓ４に基づいて無線発射モジュール１７のラジオ送信チャネルを設定する。具体的には、ユーザは、無線発射モジュール１７が異なるデータ送信チャネルにおいて作動するように、チャネル選択キー１１を切り換える。これにより送信チャネルが同一である場合に生じる干渉を回避することができる。
【００２８】
図４及び図５を参照して、警報装置１’は、演算ユニット１６に接続された機能テストキー１３をさらに備える。演算ユニット１６は、機能テストキー１３からテスト信号Ｓ５を受信し、テスト信号Ｓ５の制御により、電量検知回路１９から電量信号Ｓ３を受信するとともに、電量信号Ｓ３に基づいて電池の電量が低電圧であるかどうかを判定する。低電圧であると判定した場合、演算ユニット１６は、警示ユニット１８を低電圧の警報を発するように駆動させる。正常電圧であると判定した場合、演算ユニット１６は、無線発射モジュール１７を介して電量信号Ｓ３とともに確認信号Ｓ６を遠隔の通信装置４に無線送信する。確認信号Ｓ６は、通信装置４上に表示され、ユーザが通信装置４と警報装置１’との間の通信が正常であるかどうかを確認するためのものである。
【００２９】
図６は、本考案の実施例のメインフレーム回路のブロック模式図である。図６を図４に合わせて参照して、図６におけるメインフレーム２と図４における警報装置１’とは、警報デバイスとして組み合わせられる。即ち、メインフレーム２及び警報装置１’は、構造上の設計により一体化される。具体的には、警報装置１’は、図７に示すように、メインフレーム２上に着脱可能に結合される。また、警報装置１’とメインフレーム２とが分離した状態の場合には、無線通信技術により相互間のデータの送信を達成することができる。
【００３０】
図４及び図６を参照して、メインフレーム２は、無線受信モジュール２２と、警報ユニット２６と、無線受信モジュール２２及び警報ユニット２６に接続されたメインフレーム演算器２０とを備える。メインフレーム演算器２０は、無線受信モジュール２２を介して警報装置１’からの水温信号Ｓ２を受信するとともに、水温信号Ｓ２の温度に該当する温度目盛に基づいて警報ユニット２６を異なる音声光メッセージを発するように駆動させる。メインフレーム演算器２０は、集積回路（ＩＣ）、マイクロ制御器（ＭＣＵ）又はシングルチップであってもよく、その機能はハード回路の構造及び／又はソフトウェアプログラムにより実現できる。
【００３１】
メインフレーム演算器２０は、水温信号Ｓ２を受信した後、判定工程を実行し、水温信号Ｓ２の温度に該当する温度目盛を判定する。本考案の実施例においては、メインフレーム演算器２０が使用する３つの温度目盛を予め設定しており、その温度は、それぞれ第１の温度目盛を３０℃以下に、第２の温度目盛を３０℃〜４２℃に、第３の温度目盛を４２℃以上に設定している。しかしながら、本考案の実施例の判定工程に予め設定された３つの温度目盛は、本考案を何ら制限するものではなく、必要に応じてプログラムを判定工程に導入してもよい。
【００３２】
具体的には、メインフレーム演算器２０は、水温信号Ｓ２が３０℃以下であると判定した場合、水温が低すぎることを表すために、警報ユニット２６を明るい青光及び第１の音楽を発するように駆動させ、水温信号Ｓ２が３０℃〜４２℃の範囲であると判定した場合、水温が適当であることを表すために、警報ユニット２６を明るいオレンジ光及び第２の音楽を発するように駆動させ、水温信号Ｓ２が４２℃以上であると判定した場合、水温が高過ぎることを表すために、警報ユニット２６を赤光及び第３の音楽を発するように駆動させる。ここで、警報ユニット２６は、ＬＥＤモジュール２６２と、音楽スピーカ２６４と、ブザー２６６とを備え、ＬＥＤモジュール２６２は、メインフレーム演算器２０の出力電力（例えば電圧又は電流）に基づいて異なる色の光を発するものであればよく、ＲＧＢ三色のＬＥＤモジュールであってもよい。本実施例において、ＲＧＢの三色のＬＥＤモジュールは、複数のＲＧＢの三色のＬＥＤライトがリング状に配列されてなるリングライトガイド（ｒｉｎｇ  ｌｉｇｈｔ  ｇｕｉｄｅ）である。また、音楽スピーカ２６４は、メインフレーム演算器２０によって制御され、異なる音楽、音声を発するためのものである。
【００３３】
図６に示すように、メインフレーム演算器２０は、表示器２４に接続される。表示器２４は、水温信号Ｓ２に基づいて水温数値を表すように駆動する。この際、警報ユニット２６におけるＬＥＤモジュール２６２は、表示器２４のバックライトとして表示器２４に設けられる。また、メインフレーム演算器２０は、モード切り換えキー２９にさらに接続され、モード切り換えキー２９からモード選択信号Ｓ７を受信するとともに、モード選択信号Ｓ７に基づいて第１のモード又は第２のモードにおいて作動する。ここで、第１のモードはクロックモードであり、第２のモードは水温検知モードである。メインフレーム演算器２０は、クロックモードにて作動した場合、表示器２４が現在の時間を表すように制御するとともに、アラーム機能時には、警報ユニット２６が点滅する紫光及び第４の音楽を発するように駆動することができる。即ち、メインフレーム演算器２０は、クロックモードとしてクロック表示機能及びアラーム機能を備える。
【００３４】
また、メインフレーム演算器２０は、水温検知モードにて作動した場合、無線受信モジュール２２を介して水温信号Ｓ２及び電量信号Ｓ３を受信するとともに、表示器２４に水温数値及び電量状態を表示させる。ここで、電量信号Ｓ３がメインフレーム演算器２０における所定値よりも低い場合には、メインフレーム演算器２０は、警報装置１’の電池が低電量（電量信号Ｓ３が所定値よりも低い）であると判定する。この場合、メインフレーム演算器２０は、ユーザに電池交換に対する注意を促すために、警報ユニット２６におけるＬＥＤモジュール２６２を点滅する緑光を発するように駆動させるとともに、ブザー２６６が警報音声（例えばビビと言う音声）を発するように制御する。また、詳細は省略するが、メインフレーム演算器２０は、水温信号Ｓ２の温度に該当する温度目盛に基づいて警報ユニット２６が異なる音声光メッセージを発するように駆動させることができる。
【００３５】
図６を参照して、メインフレーム２は、メインフレーム演算器２０に接続されたチャネル選択キー２１をさらに備える。メインフレーム演算器２０は、チャネル選択キー２１の選択により無線受信モジュール２２のラジオ送信チャネルを設定する。具体的には、ユーザは、無線受信モジュール２２が異なるデータ送信チャネルにおいて作動するように、チャネル選択キー２１を切り換え、送信チャネルが同一である場合に生じる干渉を回避することができる。さらに詳しくは、ユーザは、メインフレーム２及び警報装置１’が同一のデータ送信チャネルを有するようにチャネル選択キー２１を選択することができる。
【００３６】
図８は、本考案の他の実施例のメインフレーム回路のブロック模式図である図８と図６を合わせて参照して、図８におけるメインフレーム２’は、図６における表示器２４を備えていない。しかしながら、図６におけるメインフレーム２と比較すると、図８におけるメインフレーム２’は、交流・直流電気エネルギー変換器２３及びＬＥＤライト２５をさらに備える。交流・直流電気エネルギー変換器２３及びＬＥＤライト２５はともにメインフレーム演算器２０に接続され、交流・直流電気エネルギー変換器２３は、メインフレーム演算器２０の必要電力を供給するために、交流電流を直流電流に変換するとともに直流電流をメインフレーム演算器２０に送信する。
【００３７】
図６におけるメインフレーム２と図８におけるメインフレーム２’における動作を比較すると、相違点は図８におけるメインフレーム２’の第１のモードであるナイトライトモードである。メインフレーム演算器２０は、ナイトライトモードにて作動した場合、ＬＥＤライト２５が光を発するように制御する。さらに詳しくは、メインフレーム演算器２０は、ナイトライトモードにて作動した場合、ＬＥＤライト２５が段階的に異なる色の光、又は単一色の光を発するように制御することができる。
【００３８】
図４及び図８を参照して、図８におけるメインフレーム２’と図４における警報装置１’とは、警報デバイスとして組み合わせられることが可能である。言い換えれば、メインフレーム２’及び警報装置１’は、構造上の設計により一体化することができる。さらに詳しくは、警報装置１’は、図９に示すように、メインフレーム２’上に着脱可能に結合される。また、警報装置１’とメインフレーム２’とが分離した状態の場合は、無線通信技術により両者相互間のデータの送信を達成することができる。
【００３９】
図１０は、警報装置１’の作動フローの模式図である。図１０と図４を合わせて参照して、まず、警報装置１’が起動された後（Ｓ１００）、演算ユニット１６は、電量検知回路１９から電量信号Ｓ３を受信するとともに、電池電量が所定の電量Ｔよりも大きいかどうかを判定する（Ｓ１０２）。電池電量が所定の電量よりも小さく、低電量状態である場合、演算ユニット１６は、警示ユニット１８が点滅する緑光を発するように制御する（Ｓ１０１）。電池電量が所定の電量よりも大きく、電量が正常状態である場合、演算ユニット１６は、セルフテスト工程として、警示ユニット１８が点滅する緑光、青光、オレンジ光及び赤光を順次に発するように制御する（Ｓ１０４）。
【００４０】
図１０に示すように、機能テストキー１３が押された場合（Ｓ１０６）、演算ユニット１６は、テスト信号Ｓ５によって制御され、テストデータ（例えば確認信号Ｓ６）を遠隔のメインフレーム又は通信装置に送信する（Ｓ１０８）とともに、テストデータの送信が完了した後、スリープモードに入り（Ｓ１１０）、水位が所定の位置に到達しているかどうかを判定する（Ｓ１１２）。
【００４１】
所定の水位に到達し、且つ演算ユニット１６がトリガー信号Ｓ１を受信した直後に、演算ユニット１６は、スリープモードから呼び起こされ、水温センサ１２が作動するように起動させ（Ｓ１１４）、水温の検知を行う。そして、演算ユニット１６は、水温が３０℃よりも低いかどうかを判定し、３０℃よりも低いと判定した場合、警示ユニット１８が青光を発するように制御し（Ｓ１１５）、３０℃よりも高いと判定した場合、水温が３０℃〜４２℃であるかどうかを判定し（Ｓ１１８）、３０℃〜４２℃であると判定した場合、警示ユニット１８がオレンジ光を発するように制御する（Ｓ１１７）。水温が３０℃〜４２℃でないと判定した場合、引き続き水温が４２℃よりも高いかどうかを判定し（Ｓ１２０）、水温が４２℃よりも高いと判定した場合、警示ユニット１８が点滅する赤光を発するように制御する（Ｓ１１９）。また、演算ユニット１６は、水温を判定すると同時に、無線発射モジュール１７を介して水温及び電量データを遠隔のメインフレーム又は通信装置に送信する（Ｓ１２２）。
【００４２】
上述のように、本考案に係る水位と水温の警報装置は、警示ユニットが異なる光を発することで、ユーザに浴槽の水位及び水温に対する注意を促し、入浴時の安全性を確保するとともに、水資源の浪費を防止することができる。また、本考案に係る水位と水温の警報装置は、浴槽中の水温をリアルタイムに遠隔地へ無線送信することができるため、遠隔地にあるメインフレーム又は通信装置により浴槽中の水温を監視することができ、老人や子供の安全を確保することが可能である。
【００４３】
上述したものは、本考案の好ましい実施例に過ぎず、本考案の実施の範囲を限定するものではない。また、本考案の明細書及び図面内容に基づいてなされた均等な変更および付加は、いずれも本考案の特許請求の範囲内に含まれるものとする。
【符号の説明】
【００４４】
１、１’警報装置
１２  水温センサ
１４  水位検知器
１６  演算ユニット
１８  警示ユニット
１９  電量検知回路
Ｐ１  第１の電極点
Ｐ２  第２の電極点
Ｓ１  トリガー信号
Ｓ２  水温信号
Ｓ３  電量信号
１５  調整ユニット
１０  ハウジング
５  固定座
３  浴槽
１７  無線発射モジュール
４  通信装置
２、２’  メインフレーム
２２  無線受信モジュール
２６  警報ユニット
２０  メインフレーム演算器
２４  表示器
２９  モード切り換えキー
２６２  ＬＥＤモジュール
２６４  音楽スピーカ
２６６  ブザー
１１、２１  チャネル選択キー
１３  機能テストキー
Ｓ４  チャネル選択信号
Ｓ５  テスト信号
Ｓ６  確認信号
Ｓ７  モード選択信号
２３  交流・直流電気エネルギー変換器
２５  ＬＥＤライト
Ｓ１００〜Ｓ１２２  ステップ
【図１】
0003169612.tif 000003
【図２】
0003169612.tif 000004
【図３】
0003169612.tif 000005
【図４】
0003169612.tif 000006
【図５】
0003169612.tif 000007
【図６】
0003169612.tif 000008
【図７】
0003169612.tif 000009
【図８】
0003169612.tif 000010
【図９】
0003169612.tif 000011
【図１０】
0003169612.tif 000012
【手続補正書】
【提出日】平成23年6月3日(2011.6.3)
【手続補正１】
【補正対象書類名】明細書
【補正対象項目名】００２６
【補正方法】変更
【補正の内容】
【００２６】
上述した通信装置４は、通信受信機能を有する装置であればよく、例えばノードブックパソコン、携帯電話、テレビ、パーソナルデジタルアシスタント（ＰＤＡ）等、でよい。また、警報装置１における無線発射モジュール１７と通信装置４との間は、Ｗｉ−Ｆｉ、ブルートゥース（ｂｌｕｅｔｏｏｔｈ）（登録商標）又は超広帯域（Ｕｌｔｒａ−ｗｉｄｅｂａｎｄ；ＵＷＢ）等の無線通信技術を用いてデータの送信を行うことができる。
【手続補正２】
【補正対象書類名】実用新案登録請求の範囲
【補正対象項目名】全文
【補正方法】変更
【補正の内容】
【実用新案登録請求の範囲】
【請求項１】
予め設定された水位に対応して設けられる第１の電極点に接続され、水温信号を出力するための水温センサと、
前記第１の電極点と前記予め設定された水位に対応して設けられる第２の電極点とに接続され、前記予め設定された水位に水が到達し、前記第１の電極点と前記第２の電極点にショートが発生した場合に、トリガー信号を出力するための水位検知器と、
警示ユニットと、
前記水温センサと前記水位検知器と前記警示ユニットとに接続され、前記トリガー信号のトリガーによって起動されるとともに、起動後に前記水温信号を受信し、前記水温信号の温度に該当する温度目盛に基づいて前記警示ユニットを異なる光色を発するように駆動させる演算ユニットと、
を備えることを特徴とする水位と水温の警報装置。
【請求項２】
前記演算ユニットは、電量検知回路にさらに接続され、前記電量検知回路から電量信号を受信することを特徴とする請求項１に記載の水位と水温の警報装置。
【請求項３】
前記警示ユニットは、ＬＥＤモジュールであることを特徴とする請求項１または２に記載の水位と水温の警報装置。
【請求項４】
前記演算ユニットは、予め設定された温度目盛と前記温度目盛に対応する発光色とを調整するための調整ユニットにさらに接続されることを特徴とする請求項１ないし３のいずれかに記載の水位と水温の警報装置。
【請求項５】
前記水温センサと、前記水位検知器と、前記警示ユニットと、前記演算ユニットと、を密封するためのハウジングをさらに含むことを特徴とする請求項１ないし４のいずれかに記載の水位と水温の警報装置。
【請求項６】
前記ハウジングは、固定座に接続されることを特徴とする請求項５に記載の水位と水温の警報装置。
【請求項７】
前記固定座は、吸盤であることを特徴とする請求項６に記載の水位と水温の警報装置。
【請求項８】
通信装置に無線接続された水位と水温の警報装置であって、
予め設定された水位に対応して設けられる第１の電極点に接続され、水温信号を出力するための水温センサと、
前記第１の電極点と前記予め設定された水位に対応して設けられる第２の電極点とに接続され、前記予め設定された水位に水が到達し、前記第１の電極点と前記第２の電極点にショートが発生した場合にトリガー信号を出力するための水位検知器と、
警示ユニットと、
前記水温信号を無線発射するための無線発射モジュールと、
前記水温センサと、前記水位検知器と、前記警示ユニットと、前記無線発射モジュールと、に接続され、前記トリガー信号のトリガーによって起動されるとともに、起動後に前記水温信号を受信し、前記水温信号の温度に該当する温度目盛に基づいて前記警示ユニットを異なる光色を発するように駆動させるとともに、前記無線発射モジュールを介して前記水温信号を無線送信により前記通信装置に送信するための演算ユニットと、
を備えることを特徴とする通信装置に無線接続された水位と水温の警報装置。
【請求項９】
前記演算ユニットは、チャネル選択キーにさらに接続され、前記チャネル選択キーからチャネル選択信号を受信するとともに、前記チャネル選択信号に基づいて前記無線発射モジュールのラジオ送信チャネルを設定することを特徴とする請求項８に記載の水位と水温の警報装置。
【請求項１０】
前記演算ユニットは、電量検知回路にさらに接続され、前記電量検知回路から電量信号を受信することを特徴とする請求項８または９に記載の水位と水温の警報装置。
【請求項１１】
前記演算ユニットは、前記演算ユニットに予め設定された温度目盛と、前記温度目盛に対応する発光色と、を調整するための調整ユニットにさらに接続されることを特徴とする請求項８ないし１０のいずれかに記載の水位と水温の警報装置。
【請求項１２】
前記演算ユニットは、機能テストキーにさらに接続され、前記機能テストキーからテスト信号を受信し、前記テスト信号に基づいて前記電量検知回路から前記電量信号を受信するとともに、前記電量信号に基づいて通信が正常であると判断した場合、前記無線発射モジュールを介して前記判断の確認信号と前記電量信号とを前記通信装置に無線送信することを特徴とする請求項１０または１１に記載の水位と水温の警報装置。
【請求項１３】
水位と水温を警報によって通知する警報装置と、該警報装置が着脱可能に結合されるメインフレームとを備える水位と水温の警報デバイスであって、
前記警報装置は、
予め設定された水位に対応して設けられる第１の電極点に接続され、水温信号を出力するための水温センサと、
前記第１の電極点と前記予め設定された水位に対応して設けられる第２の電極点とに接続され、前記予め設定された水位に水が到達し、前記第１の電極点と前記第２の電極点にショートが発生した場合にトリガー信号を出力するための水位検知器と、
警示ユニットと、
前記水温信号を無線発射するための無線発射モジュールと、
前記水温センサと前記水位検知器と前記警示ユニットと前記無線発射モジュールとに接続され、前記トリガー信号のトリガーによって起動されるとともに、起動後に前記水温信号を受信し、前記水温信号の温度に該当する温度目盛に基づいて前記警示ユニットを異なる光色を発するように駆動させるとともに、前記無線発射モジュールを介して前記水温信号を無線出力するための演算ユニットと、を含みと、
前記メインフレームは、
前記無線発射モジュールから前記水温信号を受信するための無線受信モジュールと、
警報ユニットと、
前記無線受信モジュールと、前記警報ユニットに接続され、前記無線受信モジュールから前記水温信号を受信するとともに、前記水温信号の前記温度に該当する前記温度目盛に基づいて前記警報ユニットを異なる音声光のメッセージを発するように駆動させるためのメインフレーム演算器と、を含むことを特徴とする水位と水温の警報デバイス。
【請求項１４】
前記警報ユニットは、ＬＥＤモジュールと音楽スピーカを含み、前記メインフレーム演算器は、前記水温信号の前記温度に該当する前記温度目盛に基づいて前記ＬＥＤモジュールを異なる光色を発するように駆動させるとともに、前記音楽スピーカを異なる音楽、音声を発するように駆動させることを特徴とする請求項１３に記載の水位と水温の警報デバイス。
【請求項１５】
前記メインフレーム演算器は、表示器にさらに接続され、前記水温信号に基づいて前記表示器に水温数値を表示させることを特徴とする請求項１３または１４に記載の水位と水温の警報デバイス。
【請求項１６】
前記メインフレーム演算器は、ＬＥＤライトにさらに接続されることを特徴とする請求項１３または１４に記載の水位と水温の警報デバイス。
【請求項１７】
前記メインフレーム演算器は、ブザーにさらに接続されることを特徴とする請求項１３ないし１６のいずれかに記載の水位と水温の警報デバイス。
【請求項１８】
前記メインフレーム演算器は、モード切り換えキーにさらに接続され、前記モード切り換えキーからモード選択信号を受信するとともに、前記モード選択信号に基づいてクロックモードの第１のモード又は水温検知モードの第２のモードにおいて作動することを特徴とする請求項１４に記載の水位と水温の警報デバイス。
【請求項１９】
前記メインフレーム演算器は、交流電流を直流電流に変換するとともに前記直流電流を前記メインフレーム演算器に送信する交流・直流電気エネルギー変換器にさらに接続されることを特徴とする請求項１８に記載の水位と水温の警報デバイス。